(57)【特許請求の範囲】
【請求項１】
自転車のハンドル部へ装着されるハンドル装着部に支柱を立て、この支柱に傘を保持する傘保持部を設け、前記支柱をハンドル部の前方に折り倒す手段を設けた自転車用傘立てにおいて、前記支柱を前方に折り倒す手段を、支柱の基端側に前後方向に向けた偏平部を設け、前記ハンドル装着部に、前記支柱の偏平部を左右から挟み込み、前後方向に回動自在に枢着する二股の支柱枢着部を設けて、この二股の支柱枢着部の断面外形を円形状に形成し、この円形状断面外形の支柱枢着部に円筒状のリング部材を回転自在に外嵌して、このリング部材に前記回動自在な支柱の偏平部が上方から嵌まり込む切り込みを設け、前記リング部材を回転させてこの切り込みを前方に向け、この前方に向けた切り込み内に前記支柱の偏平部を倒れ込ますものとしたことを特徴とする自転車用傘立て。
【請求項２】
前記切り込みの幅寸法を、少なくとも切り込みの上部で、前記偏平部の厚み寸法に対して締まり勝手に形成し、前記切り込み内に倒れ込ました偏平部を起こすときに、前記切り込みと偏平部間の締まり勝手の寸法による摩擦力で前記リング部材が上方に移動し、この上方に移動するリング部材で前記偏平部が起こされるのをロックするようにした請求項１に記載の自転車用傘立て。
【請求項３】
前記支柱の偏平部の上側に、前記リング部材の上端面に当接される鍔を設けて、前記リング部材の上端面に、前記支柱の偏平部を切り込み内に倒れ込ますときにこの鍔を逃がす逃げ面を設け、前記リング部材の回転を、前記切り込みを前方に向けた正面回転位置と、この正面回転位置から側方に所定の角度回転させた側方回転位置との間で規制し、前記リング部材を正面回転位置から側方回転位置に回転させたときに、リング部材を上方に押し上げる楔面をリング部材の下端面と前記ハンドル装着部との間に設け、この楔面で押し上げられるリング部材の上端面で前記鍔を押圧して、前記立てた支柱のガタ付きを固定するようにした請求項１または２に記載の自転車用傘立て。
【請求項４】
前記傘保持部に光反射板を設けた請求項１乃至３のいずれかに記載の自転車用傘立て。
【請求項５】
前記傘保持部を、前記支柱に固定される固定部材と、この固定部材に設けた垂直軸に回動自在に取り付けられ、固定部材と前記垂直軸の左右両側で対向する可動部材とで形成し、前記垂直軸の左右の一方側で、前記固定部材と可動部材のいずれか一方に締め込みねじを、他方にこの締め込みねじに当接される球面座を設け、前記垂直軸の左右の他方側で、前記固定部材と可動部材とに傘を縦向きに挟持する挟持部を設け、前記締め込みねじを締め込んで、前記可動部材を前記挟持部を設けた側で固定部材に接近するように回動させ、前記挟持部で傘を挟持するようにした請求項１乃至４のいずれかに記載の自転車用傘立て。
【発明の詳細な説明】
【０００１】
【発明の属する技術分野】
この発明は、自転車用の傘立てに関するものである。
【０００２】
【従来の技術】
自転車に乗って雨傘や日傘をさすときの片手運転の危険を防止するために、近年、傘を自転車のハンドル部に立てて固定する自転車用傘立てがよく使用されるようになっている。
【０００３】
この自転車用傘立ては、例えば実開平７−３１５８５号公報に記載されたもののように、自転車のハンドル部への装着部に支柱を立て、この支柱に傘を保持する傘保持部を設けたものが多い。この種の自転車用傘立てでは、装着部がハンドル部の水平パイプや垂直パイプをねじ締め等で挟持するように設計され、支柱はこのハンドル装着部に溶接やねじ締め等で固定されている。
【０００４】
【発明が解決しようとする課題】
上述した従来の自転車用傘立ては、ハンドル装着部に立てられた支柱が、溶接やねじ締め等で固定されているので、傘をささないで自転車に乗るときに、ハンドルから上方に突き出して視界の妨げとなる問題がある。また、前のめりになったときに、上方に突き出す支柱に当たって怪我をする恐れもある。
【０００５】
この問題に対しては、傘をささないときに邪魔になる傘立てをハンドル部から取り外せばよいが、ねじ締め等で装着されたハンドル装着部の取り外しには手間がかかるので、殆どの人は傘立てをハンドル部に装着したまま自転車に乗っている。
【０００６】
そこで、この発明の課題は、傘をささないときに運転の邪魔にならない自転車用傘立てを提供することである。
【０００７】
【課題を解決するための手段】
上記の課題を解決するために、この発明は、自転車のハンドル部へ装着されるハンドル装着部に支柱を立て、この支柱に傘を保持する傘保持部を設けた自転車用傘立てにおいて、前記支柱をハンドル部の前方に折り倒す手段を設けた構成を採用した。
【０００８】
すなわち、支柱をハンドル部の前方に折り倒す手段を設けることにより、傘をささないときに支柱を前方に倒して、運転の邪魔にならないようにした。
【０００９】
前記支柱を前方に折り倒す手段を、支柱の基端側に前後方向に向けた偏平部を設け、前記ハンドル装着部に、前記支柱の偏平部を左右から挟み込み、前後方向に回動自在に枢着する二股の支柱枢着部を設けて、この二股の支柱枢着部の断面外形を円形状に形成し、この円形状断面外形の支柱枢着部に円筒状のリング部材を回転自在に外嵌して、このリング部材に前記回動自在な支柱の偏平部が上方から嵌まり込む切り込みを設け、前記リング部材を回転させてこの切り込みを前方に向け、この前方に向けた切り込み内に前記支柱の偏平部を倒れ込ますものとすることにより、工具等を用いずに支柱を容易に折り倒すことができる。
【００１０】
前記切り込みの幅寸法を、少なくとも切り込みの上部で、前記偏平部の厚み寸法に対して締まり勝手に形成し、前記切り込み内に倒れ込ました偏平部を起こすときに、前記切り込みと偏平部間の締まり勝手の寸法による摩擦力で前記リング部材が上方に移動し、この上方に移動するリング部材で前記偏平部が起こされるのをロックすることにより、例えば、荷籠に入れたバッグ等のストラップを前方に倒した支柱に引っ掛けておけば、バッグ等を引っ手繰られても支柱が起き上がらないので、バッグ等を支柱から引き抜かれる心配がない。なお、支柱を起こすときは、摩擦力で上方に移動しようとするリング部材を手で押さえつけて、支柱を上方へ回動させればよい。
【００１１】
前記支柱の偏平部の上側に、前記リング部材の上端面に当接される鍔を設けて、前記リング部材の上端面に、前記支柱の偏平部を切り込み内に倒れ込ますときにこの鍔を逃がす逃げ面を設け、前記リング部材の回転を、前記切り込みを前方に向けた正面回転位置と、この正面回転位置から側方に所定の角度回転させた側方回転位置との間で規制し、前記リング部材を正面回転位置から側方回転位置に回転させたときに、リング部材を上方に押し上げる楔面をリング部材の下端面と前記ハンドル装着部との間に設け、この楔面で押し上げられるリング部材の上端面で前記鍔を押圧することにより、傘をさすときに立てた状態の支柱をガタ付きなく強固に固定することができる。
【００１２】
前記傘保持部に光反射板を設けることにより、光反射板を自転車の高い位置で目立つようにすることができる。
【００１３】
前記傘保持部を、前記支柱に固定される固定部材と、この固定部材に設けた垂直軸に回動自在に取り付けられ、固定部材と前記垂直軸の左右両側で対向する可動部材とで形成し、前記垂直軸の左右の一方側で、前記固定部材と可動部材のいずれか一方に締め込みねじを、他方にこの締め込みねじに当接される球面座を設け、前記垂直軸の左右の他方側で、前記固定部材と可動部材とに傘を縦向きに挟持する挟持部を設け、前記締め込みねじを締め込んで、前記可動部材を前記挟持部を設けた側で固定部材に接近するように回動させ、前記挟持部で傘を挟持することにより、挟持部で挟持される傘の軸や把手の太さが変化しても、強固に傘を保持することができる。
【００１４】
前記傘保持部を、前記支柱に対して前後方向に回動可能に取り付けることにより、傘の保持角度を調節することができる。また、支柱を前方に折り倒したときに、傘保持部に設けた光反射板を前方に向けることもできる。
【００１５】
前記ハンドル装着部を前記ハンドル部の中央に装着されるものとし、このハンドル装着部の中心に前記支柱を立てることにより、ハンドル操作のバランスを良好に維持することができる。また、傘立てを自転車に装着した状態の外観も見栄えの良いものとすることができる。
【００１６】
【発明の実施の形態】
以下、図１乃至図７に基づき、この発明の実施形態を説明する。この自転車用傘立ては、図１に示すように、自転車のハンドル部へ装着されるハンドル装着部１の中心に支柱２を立て、支柱２の先端に傘を保持する傘保持部３を設けたものであり、傘保持部３の前面には光反射板４が取り付けられている。ハンドル装着部１は、台部材１ａとその下面側の２つの受け部材１ｂとで、ハンドル部の水平パイプをねじ締めで挟持するものであり、後述するように、支柱２は台部材１ａに取り付けられ、前方へ折り倒し可能とされている。ハンドル装着部１、支柱２および傘保持部３の各本体は、いずれも合成樹脂で形成されている。
【００１７】
図２に示すように、前記支柱２は外筒部材２ａに軸棒部材２ｂをスライド自在に内嵌し、軸棒部材２ｂに設けた案内溝５と外筒部材２ａに取り付けた案内ピン６との係合で回り止めして伸縮可能としたものであり、締め付けリング７により伸縮位置を固定されるようになっている。また、傘保持部３は軸棒部材２ｂの先端に設けられた水平軸８に、前後方向へ回動自在に取り付けられており、水平軸８の一端に螺着された締め付けナット９により回動位置を固定されるようになっている。
【００１８】
図３（ａ）、（ｂ）に示すように、前記傘保持部３は、軸棒部材２ｂに締め付けナット９で固定される固定部材３ａと、固定部材３ａに設けた垂直軸１０に回動自在に取り付けられ、固定部材３ａと垂直軸１０の左右両側で対向する可動部材３ｂとで形成されている。垂直軸１０の右側では、固定部材３ａ側に締め込みねじ１１が、可動部材３ｂ側に締め込みねじ１１に当接される球面座１２が取り付けられ、垂直軸１０の左側では、固定部材３ａと可動部材３ｂとに傘Ａの把手を挟持する挟持部１３が設けられている。
【００１９】
前記固定部材３ａと可動部材３ｂは、垂直軸１０に装着されたねじりコイルばね１４で左側の挟持部１３側が開くように付勢されており、球面座１２に当接された締め込みねじ１１を締め込むことにより、挟持部１３間に挿入される任意の太さの傘Ａの把手が挟持されるようになっている。なお、締め込みねじ１１は２条ねじとされており、少ない回転数で締め込むことができる。
【００２０】
図４は、前記ハンドル装着部１の台部材１ａへの支柱２の取り付け部を示す。図４（ａ）は正面図、（ｂ）は背面図、（ｃ）は側面図、（ｄ）、（ｅ）は、それぞれ正面図の中央部と下部における横断面図である。支柱２の外筒部材２ａの基端側には前後方向に向けた偏平部１５が設けられ、台部材１ａの上面には、偏平部１５を左右から挟み込み、水平軸１６に前後方向へ回動自在に枢着する二股の支柱枢着部１７が設けられており、断面外形が円形状に形成された支柱枢着部１７に円筒状のリング部材１８が回転自在に外嵌されている。リング部材１８の外径には、回転時の把持用に凹凸が設けられ、その上端部の背面側には、後述するリング部材１８押さえ込み用の突出部１８ａが設けられている。また、偏平部１５の上側には、リング部材１８の上端面に当接される鍔１９が設けられている。
【００２１】
前記リング部材１８には、回動自在な偏平部１５が上方から嵌まり込む切り込み２０が設けられ、この切り込み２０を前方に向けた正面回転位置で偏平部１５を前方へ回動させることにより、図５（ａ）に示すように、支柱２の外筒部材２ａを前方へ折り倒すことができるようになっている。リング部材１８の上端面には、外筒部材２ａを折り倒すときにその鍔１９を逃がす逃げ面２１が設けられている。
【００２２】
また、リング部材１８の下端面には、約９０°の中心角で周方向に延びる凹溝２２が設けられ、台部材１ａの上面には、凹溝２２に嵌まり込み、リング部材１８の回転を、前記切り込み２０を前方に向けた正面回転位置と、図４（ｅ）に二点鎖線で示す、切り込み２０を側方に向けた側方回転位置との間で規制する突起２３が設けられている。
【００２３】
図４（ｂ）に示すように、前記凹溝２２の底には周方向に傾斜する楔面２２ａが設けられており、図４（ｅ）に矢印で示すように、リング部材１８を側方回転位置に回転させたときに、突起２３が楔面２２ａに食い込んでリング部材１８を上方に押し上げ、その上端面で外筒部材２ａの鍔１９を押圧して、立てられた支柱２のガタ付きを固定するようになっている。このとき、リング部材１８の切り込み２０も側方に移動し、外筒部材２ａの倒れ込みが防止される。
【００２４】
図４（ａ）に示したように、前記切り込み２０の幅寸法は、その上部で偏平部１５の厚み寸法に対して締まり勝手に形成されている。したがって、図５（ｂ）に示すように、前方へ折り倒した外筒部材２ａを起こそうとすると、偏平部１５と切り込み２０間の締まり勝手の寸法による摩擦力でリング部材１８が上方に移動し、支柱２が起こされるのをロックするようになっている。支柱２を起こすときは、リング部材１８を下方へ押し付けて、外筒部材２ａを上方へ回動させればよい。このリング部材１８を下方へ押し付ける際には、前記背面側の突出部１８ａを手で押さえ込むことにより、起こされる支柱２で手を挟まれるのを防止することができる。
【００２５】
図６は、上述した傘立てを自転車のハンドル部Ｂに装着し、傘Ａを立てた状態を示す。ハンドル装着部１はハンドル部Ｂの中央に装着され、支柱２はその中心に立てられているので、ハンドル操作のバランスを良好に維持することができる。この状態では、リング部材１８が側方回転位置に回転されて、傘Ａに風等により大きなモーメント荷重が作用しても、支柱２がガタ付かないように強固に固定されている。また、傘保持部３に取り付けられた光反射板４は高い位置で前方に向けられ、夜間走行時によく目立つようになっている。なお、傘保持部３は締め付けナット９を緩めることにより、雨の振り込む方向や日射方向等に応じて、前後方向に回動させることができる。
【００２６】
図７は、傘Ａをささないで自転車に乗るときに、前記支柱２を前方の荷籠Ｃの上に折り倒した状態を示す。この状態では、リング部材１８が正面回転位置に回転されており、傘保持部３が後方に回動されて光反射板４が前方に向けられている。また、前方に倒された支柱２には、荷籠Ｃに入れられたバッグＤのストラップが引っ掛けられている。前述したように、前方に倒された支柱２は、起こそうとすると上方に移動するリング部材１８でロックされるようになっているので、バッグＤが引っ手繰られても、そのストラップが支柱２から引き抜かれる心配がない。なお、昼間で光反射板４を前方に向ける必要がないときは、傘保持部３を後方に回動せずに、傘Ａを付けたままにしてもよい。
【００２７】
上述した実施形態では、傘立てのハンドル装着部をハンドル部の水平パイプに装着するものとしたが、ハンドル装着部の形態は実施形態のものに限定されることはなく、垂直パイプに装着するものとしてもよい。また、この傘立ては、ハンドル装着部を適宜設計することにより、屋外で使用される椅子や車椅子にも装着することができる。
【００２８】
【発明の効果】
以上のように、この自転車用傘立ては、ハンドル装着部に立てた支柱を、自転車のハンドル部の前方に折り倒す手段を設けたので、傘をささないときに支柱を前方に倒して、運転の邪魔にならないようにすることができる。
【００２９】
前記支柱を前方に折り倒す手段を、支柱の基端側に前後方向に向けた偏平部を設け、ハンドル装着部に、支柱の偏平部を左右から挟み込み、前後方向に回動自在に枢着する二股の支柱枢着部を設けて、二股の支柱枢着部の断面外形を円形状に形成し、この円形状断面外形の支柱枢着部に円筒状のリング部材を回転自在に外嵌して、リング部材に回動自在な支柱の偏平部が上方から嵌まり込む切り込みを設け、リング部材を回転させてこの切り込みを前方に向け、この前方に向けた切り込み内に支柱の偏平部を倒れ込ますものとすることにより、工具等を用いずに支柱を容易に折り倒すことができる。
【００３０】
また、前記切り込みの幅寸法を、少なくとも切り込みの上部で、前記偏平部の厚み寸法に対して締まり勝手に形成し、切り込み内に倒れ込ました偏平部を起こすときに、切り込みと偏平部間の締まり勝手の寸法による摩擦力で前記リング部材が上方に移動し、この上方に移動するリング部材で偏平部が起こされるのをロックすることにより、例えば、荷籠に入れたバッグ等のストラップを前方に倒した支柱に引っ掛けておけば、バッグ等を引っ手繰られても支柱が起き上がらないので、バッグ等を支柱から引き抜かれる心配がない。
【００３１】
さらに、前記支柱の偏平部の上側に、前記リング部材の上端面に当接される鍔を設けて、リング部材の上端面に、支柱の偏平部を前記切り込み内に倒れ込ますときにこの鍔を逃がす逃げ面を設け、リング部材の回転を、切り込みを前方に向けた正面回転位置と、この正面回転位置から側方に所定の角度回転させた側方回転位置との間で規制し、リング部材を正面回転位置から側方回転位置に回転させたときに、リング部材を上方に押し上げる楔面をリング部材の下端面とハンドル装着部との間に設け、この楔面で押し上げられるリング部材の上端面で前記鍔を押圧することにより、傘をさすときに立てた状態の支柱をガタ付きなく強固に固定することができる。
【図面の簡単な説明】
【図１】自転車用傘立ての実施形態を示す外観斜視図
【図２】図１の支柱の上部と傘保持部を示す側面図
【図３】ａは図１の傘保持部の後面側からの外観斜視図、ｂはａの横断面図
【図４】ａは図１の支柱の取り付け部を示す切欠き正面図、ｂはａの切欠き背面図、ｃはａの側面図、ｄはａのｄ−ｄ線に沿った断面図、ｅはａのｅ−ｅ線に沿った断面図
【図５】ａ、ｂは、それぞれ図１の支柱を折り倒す状態と起こす状態を説明する側面図
【図６】図１の自転車用傘立てを自転車に装着した状態を示す外観斜視図
【図７】図６の支柱を前方に折り倒した状態を示す外観斜視図
【符号の説明】
１  ハンドル装着部
１ａ  台部材
１ｂ  受け部材
２  支柱
２ａ  外筒部材
２ｂ  軸棒部材
３  傘保持部
３ａ  固定部材
３ｂ  可動部材
４  光反射板
５  案内溝
６  案内ピン
７  締め付けリング
８  水平軸
９  締め付けナット
１０  垂直軸
１１  締め込みねじ
１２  球面座
１３  挟持部
１４  ねじりコイルばね
１５  偏平部
１６  水平軸
１７  支柱枢着部
１８  リング部材
１８ａ  突出部
１９  鍔
２０  切り込み
２１  逃げ面
２２  凹溝
２２ａ  楔面
２３  突起
【図１】
0003645544.tif 000002
【図２】
0003645544.tif 000003
【図３】
0003645544.tif 000004
【図４】
0003645544.tif 000005
【図５】
0003645544.tif 000006
【図６】
0003645544.tif 000007
【図７】
0003645544.tif 000008